(57)【特許請求の範囲】
【請求項１】
鉄道駅のホームに設置され、前記鉄道駅に停車する列車の列車ドアに対向し前記列車ドアと連動して開閉するホームドアと、前記ホームドアの開閉制御を行うホームドア総合制御盤とを備える可動式ホーム柵において、
前記列車の車両編成を検出する車両編成検出装置が、前記列車の車両先頭形状を測定する車両先頭形状取得手段と、前記鉄道駅に停車する前記列車すべての車両先頭形状を記憶する車両先頭形状データベース部と、前記測定された車両先頭形状が前記記憶された車両先頭形状のどれに該当するか照合する車両先頭形状照合部と、前記照合された車両先頭形状に基づいて前記列車の車両編成情報を作成する車両編成情報作成部と、前記車両編成情報を前記ホームドア総合制御盤に向けて送信する車両編成情報送信部とを備え、
前記ホームドア総合制御盤が、前記車両編成情報送信部から送信された前記車両編成情報を受信する車両編成情報受信部と、前記車両編成情報に基づいて前記列車ドアと対向する前記ホームドアを選定して戸開指令を作成するホームドア開閉制御部と、前記選定されたホームドアに向けて前記戸開指令を出力するホームドア開閉指令送信とを備える可動式ホーム柵。
【請求項２】
前記車両先頭形状取得手段が、半導体レーザーセンサーであることを特徴とする請求項１記載の可動式ホーム柵。
【請求項３】
前記車両先頭形状取得手段が、画像情報を蓄積する監視カメラであることを特徴とする請求項１記載の可動式ホーム柵。
【請求項４】
鉄道駅に停車する列車の車両先頭形状を測定する車両先頭形状取得手段と、前記鉄道駅に停車する前記列車すべての車両先頭形状を記憶する車両先頭形状データベース部と、前記測定された車両先頭形状が前記記憶された車両先頭形状のどれに該当するか照合する車両先頭形状照合部と、前記照合された車両先頭形状に基づいて前記列車の車両編成情報を作成する車両編成情報作成部とを備える車両編成検出装置。
【請求項５】
鉄道駅のホームに設置され、前記鉄道駅に停車する列車の列車ドアに対向し前記列車ドアと連動して開閉するホームドアを備える可動式ホーム柵のホームドア開閉制御方法において、
前記列車の車両先頭形状のデータを取得するステップと、
前記取得したデータを、前記鉄道駅に停車する前記列車すべての車両先頭形状の記憶データと順次比較し、前記取得したデータが前記記憶データのどれに該当するか照合するステップと、
前記照合の結果に基づいて前記列車の車両編成情報を作成するステップと、
前記車両編成情報に基づいて前記列車ドアと対向する前記ホームドアを選定して戸開指令を作成するステップと、
前記選定されたホームドアに向けて前記戸開指令を出力するステップとを備える可動式ホーム柵のホームドア開閉制御方法。
【発明の詳細な説明】
【技術分野】
【０００１】
この発明は、鉄道駅のホームに設置される可動式ホーム柵の技術分野に属するものであり、鉄道駅に停車する列車の車両編成が複数パターンある場合に、各列車の車両編成に応じてホームドア開閉制御を行う可動式ホーム柵に関するものである。
【背景技術】
【０００２】
鉄道駅のホームに設置される可動式ホーム柵は、停車中の列車の列車ドアと対向するホームドアを有し、ホームドアが列車ドアと連動して開閉する。この鉄道駅に停車する列車の車両編成が単一パターンであれば、列車ドアの位置も単一パターンであるから、列車ドアと対向するホームドアの位置も単一パターンとなる。しかしながら、鉄道路線によっては列車の車両編成が複数パターンであるので、列車ドアの位置も複数パターンとなってしまう。このような場合、可動式ホーム柵は、停車するすべての列車の車両編成に適応できるように、複数パターンの列車ドアそれぞれに対向する位置にホームドアを設けなければならない。このとき、どのような車両編成パターンの列車が停車しても、列車ドアと対向しないホームドアが不必要に戸開しないようにホームドア開閉制御を行っている。
【０００３】
従来のホームドア開閉制御技術では、列車上装置群と駅側装置群とが列車側通信装置及び駅側通信装置を介して通信可能であり、駅側装置群のうち稼動ドア選定装置が列車側情報及び駅側情報に基づいて、稼動させるホームドアを選定している。これによって、運行されている列車の車両編成が単一パターンでなくても、列車ドアと対向しているホームドアだけをより確実に稼動させることができ、複数パターンの車両編成に適応できる（例えば、特許文献１を参照）。
【０００４】
【特許文献１】特開２００７−２０３７５２号公報
【発明の概要】
【発明が解決しようとする課題】
【０００５】
従来のホームドア開閉制御技術では、稼動させるホームドアを選定するにあたり、列車上装置群と駅側装置群との情報通信が必要であり、列車側と駅側とでそれぞれ専用装置を実装しなければならない。とくに、該当する鉄道路線に運行されているすべての列車に対して専用装置を実装しなければならないが、列車によっては実装スペースを確保できない場合がある。そうすると、その鉄道路線には従来のホームドア開閉制御技術を適用できない。
【０００６】
この発明は、上記のような問題点を解決するためになされたものであり、列車側に専用装置を追加的に実装することなく、複数パターンある列車の車両編成に適応するように、列車ドアと対向するホームドアを選定して戸開させる可動式ホーム柵を提供する。
【課題を解決するための手段】
【０００７】
この発明における可動式ホーム柵は、列車の車両先頭形状を測定してこの列車の車両編成を検出する車両編成検出装置を備えるものであって、この車両編成検出装置が作成した車両編成情報に基づいて列車ドアと対向するホームドアを選定して戸開指令を作成するものである。
【発明の効果】
【０００８】
この発明によれば、列車側に専用装置を追加的に実装することなく、複数パターンある列車の車両編成に適応するように、列車ドアと対向するホームドアを選定して戸開させることができる。
【図面の簡単な説明】
【０００９】
【図１】実施の形態１を説明するための可動式ホーム柵の構成を示すブロック図であり、車両編成がパターンＡである列車が鉄道駅に停車した様子を示す。
【図２】実施の形態１を説明するための可動式ホーム柵の構成を示すブロック図であり、車両編成がパターンＢである列車が鉄道駅に停車した様子を示す。
【図３】実施の形態１を説明するためのホームドア総合制御盤と車両編成検出装置の詳細構成を示すブロック図である。
【図４】実施の形態１を説明するための車両先頭形状の測定概念図である。
【図５】実施の形態１を説明するためのホームドア戸開指令フローチャートである。
【発明を実施するための形態】
【００１０】
実施の形態１．
図１および図２は、この発明が適用される実施の形態１を説明するための可動式ホーム柵の構成を示すブロック図であり、図１では車両編成がパターンＡである列車が鉄道駅に停車した様子を示しており、図２では車両編成がパターンＢである列車が鉄道駅に停車した様子を示している。
【００１１】
鉄道駅のホームに設置される可動式ホーム柵１００は、ホームドア総合制御盤１０から複数のホームドア１５０に対してそれぞれ開閉制御指令を出力して、ホームドア開閉制御を行っている。
【００１２】
図１において、停車中の列車２００の車両編成はパターンＡである。列車ドア２５０と対向する図示左側のホームドア１５０は、ホームドア１５０が列車ドア２５０と連動して戸開している。一方、図示右側のホームドア１５０は、対向する列車ドア２５０が存在しないので戸開しない。このとき、車両編成検出装置２０によって列車２００の車両編成がパターンＡであることを検出しているので、ホームドア総合制御盤１０はパターンＡに適応するように図示左側のホームドア１５０に戸開指令を出力し、図示右側のホームドア１５０には戸開指令を出力しない。
【００１３】
また、図２において、停車中の列車３００の車両編成はパターンＢである。図示左側と図示右側の両方のホームドア１５０が図示左側と図示右側の両方の列車ドア３５０と対向するので、両方のホームドア１５０が両方の列車ドア３５０と連動して戸開している。このとき、車両編成検出装置２０によって列車３００の車両編成がパターンＢであることを検出しているので、ホームドア総合制御盤１０はパターンＢに適応するように両方のホームドア１５０に戸開指令を出力する。
【００１４】
続いて、図３を用いて、ホームドア総合制御盤１０と車両編成検出装置２０の詳細構成を説明する。
【００１５】
車両編成検出装置２０において、車両先頭形状取得手段２１は、鉄道駅に停車中の列車または鉄道駅に十分に減速して進入する列車の車両先頭形状を測定するものであり、車両先頭形状データベース部２２は、この鉄道駅に停車する列車すべての車両先頭形状を記憶しておくものである。車両先頭形状照合部２３は、車両先頭形状取得手段２１によって測定された車両先頭形状が車両先頭形状データベース部に記憶された車両先頭形状のどれに該当するか照合する。車両編成情報作成部２４は、車両先頭形状照合部２３によって照合された車両先頭形状に基づいてこの列車の車両編成を確定し、車両編成情報を作成する。ここで、車両先頭形状と車両編成とは１対１の関係にあるので、車両先頭形状がわかれば車両編成もわかる。車両編成情報送信部２５は、車両編成情報作成部２４によって作成された車両編成情報をホームドア総合制御盤１０に向けて送信する。
【００１６】
ホームドア総合制御盤１０において、車両編成情報受信部１１は、車両編成検出装置２０の車両編成情報送信部２５から送信された車両編成情報を受信する。ホームドア開閉制御部１２は、車両編成情報に基づいて、複数のホームドア１５０に対してそれぞれ列車ドアと対向するかどうか判断し、列車ドアと対向するホームドア１５０を選定して戸開指令を作成する。ホームドア開閉指令送信部１３は、列車ドアと対向するホームドア１５０に向けて、ホームドア開閉制御部１２が作成した戸開指令を出力する。一方、列車ドアと対向しないホームドア１５０には戸開指令が出力されない。図３において、戸開指令が出力される様子を実線で、戸開指令が出力されない様子を破線で示す。
【００１７】
なお、この実施の形態１では、車両先頭形状取得手段２１として半導体レーザーセンサー２１ａを用いる。図４は、半導体レーザーセンサー２１ａによる車両先頭形状の測定概念図である。
【００１８】
半導体レーザーセンサー２１ａは、鉄道駅に停車中の列車または鉄道駅に十分に減速して進入する列車の先頭車両に向けてレーザー光を放光し、列車の先頭車両からの反射光を受光することによって、車両先頭形状を測定する。ここで、車両先頭形状の特徴は、先頭車両の前面と側面との境界部分に出現するものとする。このとき、レーザー光は、先頭車両の前面と側面との境界部分を中心として任意の角度で走査される。
【００１９】
続いて、可動式ホーム柵１００の動作について説明する。図５はホームドア戸開指令フローチャートであり、車両編成検出装置２０が車両編成のパターンを検出してからホームドア総合制御盤１０が当該パターンに適応するようにホームドア１５０に戸開指令を出力するまでの流れを示す。
【００２０】
ステップＳ１において、鉄道駅に近い踏切等の動作に関係する列車近接信号によってホームに進入してくる列車を認識すると、車両編成検出装置２０の車両編成検出プログラムが起動する。列車が停車または十分に減速すると、ステップＳ２において、半導体レーザーセンサー２１ａが車両先頭形状を測定し、この列車の車両先頭形状のデータを取得する。
【００２１】
ステップＳ３において、車両先頭形状照合部２３は、車両先頭形状データベース部２２に対して車両先頭形状の記憶データを要求し、車両先頭形状の取得データと複数の記憶データとを順次比較して、取得データが記憶データのどれに該当するか照合する。
【００２２】
ステップＳ４において、車両編成情報作成部２４は、車両先頭形状の取得データに該当する記憶データがあれば、ホームドア１５０の開閉対象の列車と判断する。一方、車両先頭形状の取得データに該当する記憶データがなければ、試験列車など、ホームドア１５０の開閉対象以外の列車と判断する。
【００２３】
ホームドア１５０の開閉対象の列車と判断した場合、ステップＳ５において、車両編成情報作成部２４は、この列車の車両編成を確定し、車両編成情報を作成する。
【００２４】
ステップＳ６において、車両編成情報送信部２５は、作成された車両編成情報をホームドア総合制御盤１０に向けて送信する。ホームドア総合制御盤１０の車両編成情報受信部１１は、この車両編成情報を受信する。
【００２５】
ステップＳ７において、ホームドア総合制御盤１０のホームドア開閉制御部１２は、車両編成情報に基づいて、複数のホームドア１５０に対してそれぞれ列車ドアと対向するかどうか判断し、列車ドアと対向するホームドア１５０を選定して戸開指令を作成する。
【００２６】
ステップＳ８において、ホームドア開閉指令送信部１３は、列車ドアと対向するホームドア１５０に向けて、ホームドア開閉制御部１２が作成した戸開指令を出力する。
【００２７】
以上説明したように、鉄道駅側に車両編成検出装置２０を設置して、車両先頭形状から車両編成を確定するようにしたので、列車側に専用装置を追加的に実装することなく、複数パターンある列車の車両編成に適応するように、列車ドアと対向するホームドアを選定して戸開させることができる。とくに、車両先頭形状取得手段２１として半導体レーザーセンサー２１ａを採用したので、鉄道駅のホームの明暗に左右されずに車両先頭形状を測定できる。
【００２８】
実施の形態２．
この実施の形態２は、実施の形態１の変形例であって、車両先頭形状取得手段２１として監視カメラを用いるものである。それ以外の構成は実施の形態１と同様である。監視カメラは画像情報を蓄積および外部装置へ出力できるものが好ましい。このように画像情報を蓄積して外部装置へ出力することによって、事故が発生した場合に状況データとして利用できる。
【符号の説明】
【００２９】
１００  可動式ホーム柵、１５０  ホームドア、
１０  ホームドア総合制御盤、１１  車両編成情報受信部、１２  ホームドア開閉制御部、１３  ホームドア開閉指令送信部、
２０  車両編成検出装置、２１  車両先頭形状取得手段、２１ａ  半導体レーザーセンサー、２２  車両先頭形状データベース部、２３  車両先頭形状照合部、２４  車両編成情報作成部、２５  車両編成情報送信部、
２００  列車、２５０  列車ドア、
３００  列車、３５０  列車ドア。
【図１】
0005440259.tif 000002
【図２】
0005440259.tif 000003
【図３】
0005440259.tif 000004
【図４】
0005440259.tif 000005
【図５】
0005440259.tif 000006